(57)【要約】【課題】引戸を安全に開閉することができる。【解決手段】左側引戸２は、右側引戸１２に対向する面４において、左右方向８３の引戸枠側端６寄りに取手９が設けられ、右側引戸１２は左側引戸２に近い側の端面１６が左側引戸２に対向する面１４側から右側引戸の引戸側端面１７から離れる方向に傾斜面状に形成される。さらに、取手９はこの取手９が設けられる側の引戸枠側端６位置と右側引戸１２の端面幅寸法Ｘに相当する位置１１との間に形成される。このようにすることにより、左側引戸２を開いたときに取手９に掛けた手が左側引戸２と右側引戸１２との間に挟まれない。【選択図】        図５
2004278167.tif 000002
【特許請求の範囲】
【請求項１】
開口部に設けられる引戸枠と、該引戸枠内で開閉可能に設けられる対の引戸とを備え、該対の引戸における少なくとも一方の引戸は該引戸が開かれたときに他方の引戸に対向する面において、該引戸が閉じられたときに左右方向引戸枠側端寄りに取手が設けられ、前記一方の引戸が閉じられたときに前記他方の引戸は該一方の引戸に近い側の端面が前記一方の引戸に対向する面側から該他方の引戸の引戸枠側端から離れる方向に傾斜面状または凹凸面状に形成され、前記取手は該取手が設けられる側の引戸枠側端位置と前記他方の引戸の端面幅寸法に相当する位置との間に設けられてなる引戸装置。
【発明の詳細な説明】
【０００１】
【発明の属する技術分野】
本発明は、建物の外壁や内壁などの開口部に設けられる引戸装置に関するものである。
【０００２】
【従来の技術】
従来の引戸装置としては、たとえば鴨居に相当する上部部材に形成された主案内溝に案内されるものが知られている（特許文献１）。主案内溝は、上部部材の左右方向に形成され、直線部と円弧状の湾曲部とを有し、主案内溝の中央やや左とやや右にそれぞれ分岐案内溝が形成される。主案内溝と分岐案内溝の交差部分には経路切替レバーとこれに一体的に形成された第１突出片とが回転自在に設けられる。
【０００３】
【特許文献１】
実公昭６１−４１９０８号公報（第３頁、第３図）
【０００４】
【発明が解決しようとする課題】
上記従来の引戸装置は、たとえば一方の引戸の一端側に取手を設け、この取手を引いて開くときに、一方の引戸は上記分岐案内溝と主案内溝に沿って案内され、全開した状態では二つの引戸は重なって同じ位置に並ぶ。このとき、一方の引戸と他方の引戸の間には十分な隙間が存在しないので、一方の引戸を他方の引戸の位置と同じ位置まで引くと、必然的に一方の引戸に掛けていた手は二つの引戸の間に挟まれるおそれがあった。
【０００５】
本発明は、引戸を安全に開閉することができることを課題とする。
【０００６】
【課題を解決するための手段】
上記課題を解決するため、本発明は、開口部に設けられる引戸枠と、この引戸枠内で開閉可能に設けられる対の引戸とを備え、対の引戸における少なくとも一方の引戸はこの引戸が開かれたときに他方の引戸に対向する面において、この引戸が閉じられたときに左右方向引戸枠側端寄りに取手が設けられ、一方の引戸が閉じられたときに他方の引戸は一方の引戸に近い側の端面が一方の引戸に対向する面側から他方の引戸の引戸枠側端から離れる方向に傾斜面状または凹凸面状に形成され、取手はこの取手が設けられる側の引戸枠側端位置と他方の引戸の端面幅寸法に相当する位置との間に設けられてなることを特徴とする。
【０００７】
このようにすることにより、一方の引戸の取手に手を掛けて引き全開すると、一方の引戸と他方の引戸とは同じ位置に重なった状態で並ぶ。このとき、一方の引戸が閉じられたときに、この一方の引戸に近い側の他方の引戸の端面はその引戸枠側端から離れる方向に傾斜面状または凹凸面状に形成され、かつ取手は一方の引戸の引戸枠側端位置と端面幅寸法に相当する位置との間に設けられるので、一方の引戸の取手の前には空間が形成される。これによって引戸を開いたときに、一方の引戸の取手に掛けていた手は、二つの引戸の間に挟まれることがない。
【０００８】
次に本発明を構成する各要件についてさらに詳しく説明する。開口部は、建物の外壁や内壁あるいは収納庫、家具などに設けられるもので、玄関や窓の開口部、部屋同士の間の開口部などを含む。引戸装置は、建具や間仕切りとして、あるいは収納庫の開閉装置として用いられるが、その数は一対または複数対でも良い。対の引戸は、閉じられたときに面一に並列し、かつ引戸の端面同士が対向状に突き合せられる引戸でも良いし、引き違い引戸あるいは他方の引戸を固定壁に置き替えた片引き引戸でも適用できる。
【０００９】
一方の引戸が閉じられたときに、この一方の引戸に近い側の他方の引戸の端面形状は、傾斜面状または凹凸面状であるが、その端面幅寸法Ｘは、引戸面の延長面上で水平方向（左右方向）における幅寸法である。他方の引戸の端面形状において、傾斜面状には傾斜平面やこの傾斜平面の途中に段を有するものでも良い。また、凹凸面状は、凹面、凸面、凹面と凸面、あるいはこれらに平面を組み合わせたものなどでも良い。引戸を案内する溝は、レール状でも良く、その数は１本または複数本でも良いし、溝から延在する分岐溝または分岐レールを有しても良い。引戸の取手は、引戸の高さ方向の中間位置で引戸の端に近い位置に設けられるが、その形態は引戸の面から引戸の内部に凹んだものや引戸面から突出したものなどを含むが、引戸の内部に凹んだものが好ましい。また、取手は、引戸の同じ個所で引戸の表側と裏側に設けられても良い。
【００１０】
引戸の主材料としては、たとえば、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系の板、あるいは木質系や合成樹脂系の複合積層板などを使用できる。さらに、引戸の少なくとも露出部分には化粧材を設けると良い。
【００１１】
【発明の実施の形態】
以下、本発明に係る引戸装置の実施形態を図面に基づいて詳細に説明する。なお、図１〜１３において、同一または同等部分には同一符号を付けて示す。
【００１２】
図１は、本発明に係る引戸装置の第１実施形態を示す正面図である。図２は、図１におけるＡ−Ａ線断面図である。引戸装置１は、家具、建具または収納庫などの開口部に設けられるもので、引戸枠４１と、この引戸枠４１に設けられる１対の左側引戸（一方の引戸）２および右側引戸（他方の引戸）１２とを備える。引戸枠４１は、この下部を形成する敷居４３と、上部を形成する鴨居５３およびこれら部材の間をつなぐ縦部材６４とを有する。引戸枠４１の形状は、正面から見て矩形状であり、これにともなって左側引戸２と右側引戸１２の正面形状も矩形に形成される。
【００１３】
左側引戸２は、下部に下部被案内装置２４、上部に上部被案内装置３２を有し、下部被案内装置２４は引戸下部の左右寄りに各々設けられ、上部被案内装置３２は引戸上部の左右寄りに各々設けられる。後述するように下部被案内装置２４は敷居４３に設けられた溝４４ａ、４４ｂに案内され、上部被案内装置３２は鴨居５３に設けられた溝５４ａ、５４ｂに案内される。左側引戸２と右側引戸１２は、閉じられたときに面一に並列する。左側引戸２または右側引戸１２が全開されたときには左側引戸２と右側引戸１２は略重なるように並ぶ。なお、図２において符号６５は縁取り材である。また、右側引戸１２の構造は、左側引戸２と略同じであるが、取手の位置は反対勝手である。
【００１４】
図３は、図１におけるＢ−Ｂ線断面図である。敷居４３の溝は各引戸ごとに対応して設けられる。左側引戸２に対しては溝４４ａが、右側引戸１２に対しては溝４４ｂが設けられ、溝４４ａと溝４４ｂは点対称に形成される。溝４４ａは、引戸の開閉方向８３に形成される直線溝４５ａと、この直線溝４５ａの一端４６ａからこの直線溝４５ａに対して遠くなる方向に斜めに形成される第１の分岐溝４７ａとを有する。
【００１５】
さらに、溝４４ａは、第１の分岐溝４７ａに平行で直線溝４５ａの略中央の中間位置から形成される第２の分岐溝４８ａを有する。第１の分岐溝４７ａと第２の分岐溝４８ａは、直線溝４５ａと直線溝４５ｂの間の略中央まで形成される。そして、左側引戸２が閉められたときには、左側引戸２の二つの下部被案内装置の調整ロッド２８は、各々第１の分岐溝４７ａ、第２の分岐溝４８ａの端に位置する。
【００１６】
さらに、直線溝４５ａと第２の分岐溝４８ａとの分岐点には方向切替装置６８が設けられる。方向切替装置６８は、揺動部材６９を備え、枢軸７６を中心にして先端側（一側）が揺動し、直線溝４５ａと第２の分岐溝４８ａとの間で揺動可能である。さらに、この揺動部材６９が第２の分岐溝４８ａ側に揺動したときに直線溝４５ａに突出する第１の突起７０および直線溝４５ａ側に揺動したときに第２の分岐溝４８ａに突出する第２の突起７２を有する。第１の突起７０を形成する一側の面および第２の突起７２を形成する他側の面は滑らかな曲面ないし平面に形成される。
【００１７】
図３において、右側引戸１２に対応する溝４４ｂについても、溝４４ａと同様の形状で、溝４４ｂは、直線溝４５ｂ、第１の分岐溝４７ｂおよび第２の分岐溝４８ｂを有し、これらの位置関係も溝４４ａの場合と同様である。第１の分岐溝４７ｂと第２の分岐溝４８ｂは、直線溝４５ａと直線溝４５ｂの間の略中央まで形成される。そして、右側引戸１２が閉められたときには、右側引戸１２の下部被案内装置の調整ロッド２８は、各々第１の分岐溝４７ｂ、第２の分岐溝４８ｂの端に位置する。
【００１８】
さらに、左側引戸２は、左側引戸２が開かれたときに右側引戸１２に対向する面４において、左側引戸２が閉じられたときに左右方向（水平方向）引戸枠側端６寄りに取手９が設けられる。同様に、右側引戸１２は左側引戸２に対向する面１４と反対側の面（表側面）の左右方向（水平方向）引戸枠側端１７（他端１８）寄りに取手１９が設けられる。
【００１９】
図４は、図１におけるＣ−Ｃ線断面図である。鴨居５３に形成される溝５４ａ、５４ｂは、敷居４３に形成される溝４４ａ、４４ｂと対向して設けられ、溝５４ａ、５４ｂの形状、大きさ、構造などは、敷居４３に形成される溝４４ａ、４４ｂと同じであるので、符号のみを入れその説明を省略する。符号５５ａ、５５ｂは直線溝、符号５６ａ、５６ｂは直線溝の一端、符号５７ａ、５７ｂは第１の分岐溝、符号５８ａ、５８ｂは第２の分岐溝をそれぞれ表す。そして、左側引戸２と右側引戸１２の上部被案内装置の調整ロッド３６は、引戸が閉じられているときには各々第１の分岐溝５７ａ、５７ｂおよび第２の分岐溝５８ａ、５８ｂの端に位置する。
【００２０】
図５は、左側引戸２を全開したときの取手位置を示す要部断面図である。左側引戸２が全開されたときに、左側引戸の引戸枠側端６と右側引戸の先端１５とは引戸の面の左右方向において一致する。右側引戸の端面１６（左側引戸２の引戸枠側端６に近い側の端面）は、左側引戸２に対向する面１４側からこの右側引戸１２の引戸枠側端１７（図３に表示）から離れる方向に傾斜面状に形成される。さらに、取手９は、この取手９が設けられる側の引戸枠側端６位置と右側引戸の端面幅寸法Ｘに相当する位置１１との間に設けられる。
【００２１】
図６は、第１実施形態の引戸装置の動作を説明する図で、（Ａ）は２枚の引戸が並列して閉じられている状態の断面図、（Ｂ）は左側引戸が斜め上方に移動した状態の断面図、（Ｃ）は左側引戸が全開された状態の断面図である。図６（Ａ）に示すように、左側引戸２と右側引戸１２は、面一に並列している。この状態から、左側引戸２を斜め上方に移動すると、左側引戸の下部被案内装置の調整ロッド２８（または車輪）は、第１の分岐溝４７ａおよび第２の分岐溝４８ａを上方に移動する。このとき、左側引戸の右側調整ロッド２８は、第２の分岐溝４８ａから左側の方向切替装置の揺動部材６９を押し開けながら移動する。揺動部材６９は直線溝４５ａ側に揺動する（図１６（Ｂ））。
【００２２】
さらに、図１６（Ｂ）に示す状態から、左側引戸２を右方向に移動させると、左側引戸２の右側の下部被案内装置の調整ロッド２８は図１６（Ｃ）に示す直線溝４５ａの右端に達する。このとき、図１６（Ｃ）に示すように、左側引戸２の左側の調整ロッド２８は揺動部材６９を押し倒し、第２の分岐溝４８ａ側に回転させる。そして、左側引戸２は右側引戸１２と重なり、引戸装置１の左側が開放される。
【００２３】
図５に示すように、左側引戸２を開けたときに、同じ側にある左側引戸２の引戸枠側端６と右側引戸１２の先端１５とが一致する。このとき、裏側に位置する左側引戸２の取手９は表側に位置する右側引戸１２の裏面に入り込む。しかし、左側引戸の取手９の前に空間８４が形成されるので、左側引戸の取手９に掛けていた手は、左側引戸２と右側引戸１２との間に挟まれることがない。
【００２４】
次に、図６（Ｃ）の状態から、左側引戸２を左側に戻し閉めるときの動作を説明する。左側引戸の取手９の前には手を挿入できる空間８４が形成されているので、先ず、図６（Ｃ）に示す左側引戸の取手９に手を掛けて左側方向に引くことができる。左側引戸２を左側方向に引くことにより、左側引戸２の左側の調整ロッド２８は揺動部材の第１の突起７０に当接し通過する。左側引戸２の左側の調整ロッド２８が揺動部材の第１の突起７０に当接し通過することにより、図６（Ｂ）に示すように、方向切替装置の揺動部材６９を直線溝４５ａ側、すなわち上方に回転させる。
【００２５】
さらに、左側引戸２を左側方向に移動させることにより、左側引戸の右側調整ロッド２８は、第２の分岐溝４８ａに進入する。左側引戸の右側調整ロッド２８が第２の分岐溝４８ａに進入すると、その調整ロッド２８が揺動部材の第２の突起７２に当接するので揺動部材６９を第２の分岐溝４８ａ側に回転させ、図６（Ａ）に示す状態となり、左側引戸２と右側引戸１２が面一に並列し閉まった状態となる。なお、鴨居５３側の動作についても、敷居４３側の動作と同じであるので、その説明を省略する。また、図６（Ａ）の状態から、右側引戸１２を左側方向に引くときには、右側引戸１２の取手１９が手前にあるので手が左側引戸２と右側引戸１２の間に挟まれることはない。
【００２６】
図７は、本発明に係る引戸装置の第２実施形態を示す正面図である。図８は、図７におけるＡ−Ａ線断面図である。図９は、図７におけるＢ−Ｂ線断面図で、対の引戸２、１２と敷居４３側の溝を示している。図９に示すように、第２実施形態の引戸装置１において、敷居の溝４４は左側引戸２と右側引戸１２に共通の直線溝４５と、この直線溝４５の両端から各々斜めにハの字状に延在する第１の分岐溝４７と、直線溝４５の中央寄りにハの字状に延在する第２の分岐溝４８とを有する。さらに、直線溝４５と第２の分岐溝４８との分岐点には、先の方向切替装置６８が設けられる。
【００２７】
図１０は、第２実施形態の引戸装置の動作を説明する図で、（Ａ）は２枚の引戸が面一に並列して閉じられている状態の断面図、（Ｂ）は左側の引戸が斜め上方に移動した状態の断面図、（Ｃ）は左側の引戸が全開された状態の断面図である。図１０（Ａ）に示すように、左側引戸２と右側引戸１２は、面一に並列している。この状態から、左側引戸２を斜め上方に移動すると、左側引戸２の（下部被案内装置２４の）左側調整ロッド２８（または車輪）は、第１の分岐溝４７を上方に移動し直線溝４５に至る。
【００２８】
同時に、左側引戸２の（下部被案内装置２４の）右側調整ロッド２８（または車輪）は、第２の分岐溝４８を上方に移動する。このとき、方向切替手段の揺動部材６９を直線溝４５側に押し開けながら直線溝４５に至り、図１０（Ｂ）の状態となる。揺動部材６９は直線溝４５側に回転した状態となる。
【００２９】
さらに、図１０（Ｂ）に示す状態から、左側引戸２を右側方向に移動させると、左側引戸２の右側の調整ロッド２８は右側の揺動部材６９の第１の突起７０を押して右側の揺動部材６９を、図１６（Ｃ）に示すように、直線溝４５側に回転させるとともに直線溝４５の右端寄りに達する。
【００３０】
同時に、左側引戸２の左側調整ロッド２８は直線溝４５を右側方向に移動し、左側の揺動部材６９を第２の分岐溝４８側に回転させるとともに、図１６（Ｃ）に示すように、右側の第２の分岐溝４８の入口近くまで移動する。この状態で、左側引戸２と右側引戸１２は重なり、引戸装置１の左側が開放される。このとき取手９の前には空間８４が形成されるので、取手９に掛けた手が左側引戸２と右側引戸１２との間に挟まれることがない。
【００３１】
なお、図１０（Ａ）において、右側引戸１２を左側方向に開く場合の動作は、上記左側引戸２を右側方向に開く場合の動作と同じである。また、図１０においては引戸２、１２と敷居側の溝４４との間の動作について説明したが、敷居に設けた溝４４と、鴨居に設けた溝５４とは対向して設けられ、かつ溝の形状、大きさなども同じであるので、引戸２、１２と鴨居側の溝５４との間の動作は、引戸２、１２と敷居側の溝４４との間の動作と同じであり、その説明を省略する。さらに、図７〜１０に示した第２実施形態におけるその他の構造と作用は、図１〜６に示した第１実施形態の引戸装置と同じであるので、その説明を省略する。
【００３２】
図１１は、本発明に係る引戸装置の第３実施形態を示す横断面図である。図１２は、第３実施形態の引戸装置において、左側引戸２が全開された状態の横断面図である。第３実施形態の引戸装置１は、引き違い引戸の場合である。図１１において、左側引戸２を右側方向に引くと、左側引戸２は直線溝４５ａ上を移動する。右側引戸の端面１６は、左側引戸２に対向する面１４側から右側引戸１２の引戸枠側端面１７から離れる方向に傾斜面状に形成される。
【００３３】
図１２に示すように、左側引戸２が全開されたときに、取手９は、この取手９が設けられる側の引戸枠側端６位置と右側引戸１２の端面幅寸法Ｘに相当する位置１１との間に設けられる。このようにすることによって、取手９の前には空間８４が形成されるので、取手９に掛けた手は二つの引戸の間に挟まれることがない。
【００３４】
図１３は、本発明に係る引戸装置の第４実施形態を示す横断面図である。第４実施形態の引戸装置１は、対の引戸において、一方の引戸はこの引戸が開かれたときに他方の引戸に対向する面において、一方の引戸が閉じられたときに左右方向引戸枠側端寄りに取手が設けられたものである。すなわち、左側引戸２が開かれたときに左側引戸２は右側引戸１２に対向する面４において、左側引戸２が閉じられたときに左右方向引戸枠側端６寄りに取手９が設けられ、また、右側引戸１２が開かれたときに右側引戸１２は左側引戸２に対向する面１４の左右方向引戸枠側端１７（他端１８）寄りに取手２０が設けられる。
【００３５】
さらに、左側引戸２が閉じられたときに右側引戸１２は左側引戸２に近い側の端面１６が左側引戸に対向する面１４側から右側引戸の引戸枠側端１７から離れる方向に傾斜面状に形成される。同様に、右側引戸１２が閉じられたときに左側引戸２は右側引戸２に近い側の端面８が右側引戸に対向する面４側から左側引戸の引戸枠側端６から離れる方向に傾斜面状に形成される。そして、取手９はこの取手９が設けられる側の引戸枠側端６位置と右側引戸の端面幅寸法Ｘに相当する位置との間に設けられる。同様に、取手２０はこの取手２０が設けられる側の引戸枠側端１７位置と左側引戸の端面幅寸法Ｘに相当する位置との間に設けられる。
【００３６】
このようにすることにより、先の第１〜第３実施形態の引戸装置と同様に、左側引戸２または右側引戸１２が全開されたときに、取手９または取手２０の前に空間（第１〜第３実施形態における空間８４）が形成されるので、二つの引戸の間に手が挟まれることがない。
【００３７】
因みに、取手９の裏面側にも取手１０が設けられ、取手２０の裏面側にも取手１９が設けられる。取手９と取手１０または取手１９と取手２０は、引戸の厚み方向中央を境にして形成される。なお、図１３におけるその他の部分の構造と作用は、図１〜６に示した第１実施形態の引戸装置と同じであるので、その説明を省略する。
【００３８】
以上説明した第１〜第４実施形態の引戸装置においては、引戸が引戸枠の上部部材（鴨居）と下部部材（敷居）に設けられた溝またはレールに案内されるものであったが、本発明は、これらの実施形態に限らず、上吊り形式の引戸装置、あるいはリンク、アームまたはレバーなどを利用した開閉機構やその他の開閉機構により引戸を左右方向に開閉できる手段を有する引戸装置であれば適用できるものである。
【００３９】
【発明の効果】
本発明によれば、一方の引戸が全開されたときに、一方の引戸の取手の前には空間が形成されるので、一方の引戸と他方の引戸との間に手を挟まれることがなく、引戸を安全に開閉することができる。
【図面の簡単な説明】
【図１】本発明に係る引戸装置の第１実施形態を示す正面図である。
【図２】図１におけるＡ−Ａ線断面図である。
【図３】図１におけるＢ−Ｂ線断面図である。
【図４】図１におけるＣ−Ｃ線断面図である。
【図５】引戸を開いたときの取手位置を示す要部断面図である。
【図６】第１実施形態の引戸装置の動作を説明する図で、（Ａ）は２枚の引戸が並列して閉じられている状態の断面図、（Ｂ）は左側引戸が斜め上方に移動した状態の断面図、（Ｃ）は左側引戸が全開された状態の断面図である。
【図７】本発明に係る引戸装置の第２実施形態を示す正面図である。
【図８】図７におけるＡ−Ａ線断面図である。
【図９】図７におけるＢ−Ｂ線断面図である。
【図１０】第２実施形態の引戸装置の動作を説明する図で、（Ａ）は２枚の引戸が並列して閉じられている状態の断面図、（Ｂ）は左側の引戸が斜め上方に移動した状態の断面図、（Ｃ）は左側の引戸が全開された状態の断面図である。
【図１１】本発明に係る引戸装置の第３実施形態を示す横断面図である。
【図１２】第３実施形態の引戸装置において、左側引戸が全開された状態の横断面図である。
【図１３】本発明に係る引戸装置の第４実施形態を示す横断面図である。
【符号の説明】
１  引戸装置
２  左側引戸（一方の引戸）
４  右側引戸に対向する面（他方の引戸に対向する面）
６  引戸枠側端
９  取手
１１  端面幅寸法Ｘに相当する位置
１２  右側引戸（他方の引戸）
１４  左側引戸に対向する面（一方の引戸に対向する面）
１６  端面
１７  引戸枠側端面
２０  取手
４１  引戸枠
Ｗ１、Ｗ２  引戸の幅寸法
Ｘ  端面幅寸法
【図１】
2004278167.tif 000003
【図２】
2004278167.tif 000004
【図３】
2004278167.tif 000005
【図４】
2004278167.tif 000006
【図５】
2004278167.tif 000007
【図６】
2004278167.tif 000008
【図７】
2004278167.tif 000009
【図８】
2004278167.tif 000010
【図９】
2004278167.tif 000011
【図１０】
2004278167.tif 000012
【図１１】
2004278167.tif 000013
【図１２】
2004278167.tif 000014
【図１３】
2004278167.tif 000015